(57)【特許請求の範囲】
【請求項１】
走行用モータに電力を供給する電力制御装置の車載構造であり、
前記走行用モータを収納するハウジングが車両の前部空間に搭載されており、
前記電力制御装置は、その前後をフロントブラケットとリアブラケットによって、上面前方が上面後方よりも低い前記ハウジングの上面との間に隙間を有して支持されており、
前記フロントブラケットの上部が前記電力制御装置の前面に連結されており、
前記フロントブラケットの下部が前記ハウジングに連結されており、
前記電力制御装置の前記前面に、前記フロントブラケットの上端との間に間隙を隔てて対向するストッパが前記フロントブラケットの上方に設けられており、
前記ストッパの前記フロントブラケットの上端に対向する下面が車両側面視において凹面状に湾曲しており、
前記電力制御装置の前記前面に加わる衝突荷重によって、前記フロントブラケットの上部が、前記フロントブラケットと前記ハウジングとの連結部分を軸として回転したときに、前記ストッパの湾曲している下面が、前記フロントブラケットの上端に当接することを特徴とする車載構造。
【発明の詳細な説明】
【技術分野】
【０００１】
本発明は、走行用モータに電力を供給する電力制御装置の車載構造に関する。
【背景技術】
【０００２】
特許文献１に、走行用モータに電力を供給する電力制御装置が走行用モータを収容するハウジングの上方に支持されている車載構造が開示されている。ハウジングの上面は、その前方が後方よりも低くなっている。電力制御装置は、その前後をフロントブラケットとリアブラケットによって、ハウジングの上面との間に隙間を有して支持されている。フロントブラケットの上部は、電力制御装置の前面に連結されている。フロントブラケットの下部は、ハウジングに連結されている。
【先行技術文献】
【特許文献】
【０００３】
【特許文献１】特開２０１３−２３３８３６号公報
【発明の概要】
【発明が解決しようとする課題】
【０００４】
特許文献１の技術において、車両が前方衝突した際、電力制御装置には前方から衝突荷重が加わる。先に述べたように、電力制御装置は、上面前方が上面後方よりも低いハウジング上面との間に隙間を有して支持されている。それゆえ、衝突荷重によって電力制御装置はモータハウジングの上面に向かって押し込まれる。このとき、フロントブラケットの上部は、フロントブラケットとハウジングとの連結部を軸として回転する（変形する）。フロントブラケットの変形により電力制御装置が受ける衝突の衝撃は緩和されるが、衝突荷重が大きいとフロントブラケットと電力制御装置の連結箇所が破断し、電力制御装置がハウジングに強くぶつかる虞がある。なお、衝突荷重とは、車両が障害物等と衝突した際に車両の各所に加わる荷重のことである。本明細書は、電力制御装置の車載構造に関し、車両が衝突したときに電力制御装置が受ける衝突の衝撃をフロントブラケットが効果的に緩和する技術を提供する。
【課題を解決するための手段】
【０００５】
本明細書が開示する車載構造においては、走行用モータに電力を供給する電力制御装置は、走行用モータを収容するハウジングの上方に支持されている。ハウジングは、車両の前部空間に配置されている。また、ハウジングの上面はその前方が後方よりも低くなっている。電力制御装置は、その前後をフロントブラケットとリアブラケットによって上面との間に隙間を有して支持されている。フロントブラケットの上部は電力制御装置の前面に連結されている。フロントブラケットの下部はハウジングに連結されている。そして、電力制御装置の前面には、フロントブラケットの上端との間に間隙を隔てて対向するストッパがフロントブラケットの上方に設けられている。ストッパのフロントブラケットの上端に対向する下面が、車両側面視において凹面状に湾曲している。電力制御装置の前面に加わる衝突荷重によって、フロントブラケットの上部が、フロントブラケットとハウジングとの連結部分を軸として回転したとき、ストッパの湾曲している下面が、フロントブラケットの上端に当接する。衝突荷重によって電力制御装置がハウジングの上面に向けて押し込まれる際、フロントブラケットの上端がストッパの下面と当接する。この当接により、電力制御装置が受ける衝突荷重の一部がストッパを介してフロントブラケットの上端に伝わる。即ち、フロントブラケットの上端が衝突荷重の一部を支える。フロントブラケットと電力制御装置の連結部が外れ難くなり、フロントブラケットの上端に加わる衝突荷重に応じてフロントブラケットがさらに変形することで衝突の衝撃が緩和される。さらに、ストッパ下面が凹面状に湾曲していることによって、衝突荷重によって回転するフロントブラケットの上部がストッパ下面から外れ難くなる。これによって、フロントブラケットが衝突荷重の一部を受ける期間を長く確保することができる。その結果、フロントブラケットが衝突の衝撃を効果的に緩和する。本明細書が開示する技術の詳細とさらなる改良は以下の「発明を実施するための形態」にて説明する。
【図面の簡単な説明】
【０００６】
【図１】フロントコンパートメント内の部品レイアウトの一例を示す斜視図である。
【図２】トランスアクスルハウジングとインバータの側面図である。
【図３】ブラケット変形後のトランスアクスルハウジングとインバータの位置関係を示す側面図である。
【図４】インバータに加わる荷重を説明する図である。
【図５】インバータに加わる荷重を説明する図である（ブラケット変形後）。
【図６】インバータに加わる荷重を説明する図である（ブラケットのさらなる変形後）。
【発明を実施するための形態】
【０００７】
図面を参照して実施例の車載構造を説明する。実施例の車載構造２は、走行用にモータ３とエンジン９８の双方を備えたハイブリッド車１００に適用されている。実施例の車載構造２は、モータ３に電力を供給するインバータ２０を、トランスアクスルハウジング３０の上方に支持する構造である。以下では、「トランスアクスルハウジング３０」を略して「ＴＡハウジング３０」と表す。
【０００８】
図１に、ハイブリッド車１００のフロントコンパートメント９０におけるデバイスの配置を示す。なお、図中の座標系は、Ｆ軸が車両前方を示しており、Ｖ軸が車両上方を示しており、Ｈ軸は車幅方向（車両の側方）を示している。座標系の記号の意味は、以降の図でも同じである。
【０００９】
フロントコンパートメント９０には、エンジン９８、インバータ２０、ＴＡハウジング３０などが配置されている。フロントコンパートメント９０には他にも様々なデバイスが配置されているが、それらの図示は省略する。図１ではＴＡハウジング３０やエンジン９８などは模式化して描かれていることに留意されたい。
【００１０】
モータ３は、ＴＡハウジング３０に収容されている。ＴＡハウジング３０は、別言すれば、モータ３といくつかのギアセットを収容するギアボックスである。ＴＡハウジング３０は、例えば、アルミニウムのダイキャスト、あるいは、削り出しで作られる。ＴＡハウジング３０には、さらに、エンジン９８の出力トルクとモータ３の出力トルクを合成／分配する動力分配機構６が収容されている。デファレンシャルギア４もＴＡハウジング３０に収容されている。動力分配機構６は、状況に応じて、エンジン９８の出力トルクを分割してデファレンシャルギア４とモータ３へ伝達する。この場合、ハイブリッド車１００は、エンジントルクで走行しながらモータ３によって発電する。ハイブリッド車１００は、また、制動時の車両の減速エネルギを使ってモータ３により発電する。発電で得た電力でバッテリを充電する。
【００１１】
エンジン９８とＴＡハウジング３０は、車幅方向で隣り合うように連結されている。エンジン９８とＴＡハウジング３０は、車両の構造強度を担保するサイドメンバ９６に懸架されている。図１では１本のサイドメンバ９６のみが描かれているが、図１においてエンジン９８の左下にも別のサイドメンバが伸びている。エンジン９８とＴＡハウジング３０は、２本のサイドメンバの間に懸架されている。
【００１２】
インバータ２０は、電力をモータ３へ供給する。より詳しくは、インバータ２０は、不図示の高電圧バッテリの電力を昇圧した後、交流に変換してモータ３へ供給する。インバータ２０は、また、モータ３が発電した交流電力を直流電力に変換し、さらに降圧する。降圧された電力によって高電圧バッテリが充電される。詳しくは後述するが、インバータ２０は、ＴＡハウジング３０の上面との間に隙間を有して支持されている。
【００１３】
インバータ２０は、その前側がフロントブラケット１０によって支持されており、後側がリアブラケット４０によって支持されている。インバータ２０のフロントブラケット１０の上方には、ストッパ５が設けられている。
【００１４】
図１とともに図２を参照してＴＡハウジング３０とインバータ２０の関係を詳しく説明する。図２は、車載構造２の全体図である。また、図２は、ＴＡハウジング３０とインバータ２０の側面図を示している。「側面」とは、車幅方向（図中のＨ軸方向）から見たときの図に相当する。
【００１５】
インバータ２０とＴＡハウジング３０は、６本のパワーケーブル２１で繋がっている。パワーケーブル２１は、インバータ２０からモータ３へ電力を送るためのワイヤハーネスである。説明を省略したが、ＴＡハウジング３０には２個の３相交流モータが収容されており、６本のパワーケーブル２１は２組の３相交流を伝送する。符号３１は、ＴＡハウジング３０に設けられているパワーケーブル端子を示している。
【００１６】
先に述べたように、ＴＡハウジング３０には、モータ３と動力分配機構６とデファレンシャルギア４が収容されている。ＴＡハウジング３０の内部では、モータ３の出力軸３ａと動力分配機構６の主軸６ａとデファレンシャルギア４の主軸４ａが平行に並んでいる。それら３本の軸は車幅方向に伸びている。図２に示すように、３本の軸は、車幅方向からみて三角形をなすように配置されている。３本の軸の配置のため、ＴＡハウジング３０の上面３０ａは、前下がりに傾斜している。別言すれば、ＴＡハウジング３０の上面３０ａは、その前方が後方よりも低くなっている。それゆえ、上面３０ａの上方に支持されるインバータ２０も、前下がりに傾斜して配置される。なお、「インバータ２０が前下がりである」とは、インバータ２０の前端の地上高さが後端の地上高さよりも低いことを意味する。
【００１７】
インバータ２０は、フロントブラケット１０とリアブラケット４０によりＴＡハウジング３０の上方に支持されている。フロントブラケット１０は、インバータ２０の前方に配置され、リアブラケット４０はインバータ２０の後方に配置される。インバータ２０とＴＡハウジング３０の間には、隙間Ｇ１が確保されている。この隙間Ｇ１は、フロントブラケット１０とリアブラケット４０によって確保される。
【００１８】
インバータ２０とフロントブラケット１０の間には防振ブッシュ１２が配置されており、インバータ２０とリアブラケット４０の間には防振ブッシュ４２が配置されている。モータ３と動力分配機構６とデファレンシャルギア４は走行中に激しく振動する。防振ブッシュ１２、４２は、モータ３などの振動からインバータ２０を保護するために取り付けられている。また、インバータ２０がフロントブラケット１０とリアブラケット４０によってＴＡハウジング３０の上方に隙間Ｇ１を有して支持されていることも、インバータ２０をモータ３などの振動から隔離するためである。
【００１９】
フロントブラケット１０の下部がボルト５２によってＴＡハウジング３０の上面３０ａに固定され、フロントブラケット１０の上部がボルト５１によってインバータ２０の前面２０ａに連結される。フロントブラケット１０の上部とインバータ２０の前面２０ａとの間には防振ブッシュ１２が挟まれている。図２では示されていないが、フロントブラケット１０は、車幅方向に並んだ２個のボルト５２によってＴＡハウジング３０に固定される。また、フロントブラケット１０は、車幅方向に並んだ２個のボルト５１によってインバータ２０に連結される。フロントブラケット１０は、金属板（鋼板）のプレス加工で作られている。なお、図２は、フロントブラケット１０の形状を簡略化して示している。フロントブラケット１０の上端は、車両側面（図中のＨ軸方向）から見て凸面状に湾曲している。
【００２０】
詳しい説明は省略するが、リアブラケット４０もフロントブラケット１０と同様の構造を有している。リアブラケット４０の下部がボルト５４によってＴＡハウジング３０の上面３０ａに固定されており、リアブラケット４０の上部がボルト５３によってインバータ２０の後面に固定されている。リアブラケット４０の上部とインバータ２０の後面との間には防振ブッシュ４２が挟まれている。
【００２１】
インバータ２０の前面２０ａには、ストッパ５が設けられている。ストッパ５は、フロントブラケット１０の上方に設けられている。ストッパ５は、その下面５ａが、フロントブラケット１０の上端に対向するように配置されている。下面５ａは、車両側面（図中のＨ軸方向）から見て凹面状に湾曲している。図２に示すように、ストッパ５は、ストッパ５とフロントブラケット１０の上端との間の距離Ｈａが、インバータ２０の下面２０ｂとＴＡハウジング３０の上面３０ａとの間の距離Ｈｂよりも短くなるように配置されている。なお、距離Ｈａは、車両が衝突してフロントブラケット１０が変形する前の長さを示す。ストッパ５は、車両が前方衝突（あるいは前方斜め衝突）した際に、インバータ２０がＴＡハウジング３０とぶつかるときの衝撃を緩和するために設けられている。
【００２２】
図２と図３を参照してストッパ５の機能を説明する。図２において、符号Ｗが示す矢印が、衝突荷重を示している。衝突荷重Ｗは、前方衝突を想定した場合の荷重であり、インバータ２０の前端に加わる。図３は、インバータ２０が衝突荷重Ｗを受けたときのフロントブラケット１０とリアブラケット４０の変形を示している。フロントブラケット１０とインバータ２０はボルト５１で連結されており、フロントブラケット１０とインバータ２０の間には防振ブッシュ１２が挟まれている。防振ブッシュ１２は振動を吸収する弾性体で作られており、変形し易い。インバータ２０が前方から衝突荷重Ｗを受けると、フロントブラケット１０の上部が後方に倒れるように変形する。別言すると、インバータ２０が前方から衝突荷重Ｗを受けると、フロントブラケット１０の上部は、ＴＡハウジング３０との連結部分を軸として後方に回転する。フロントブラケット１０が後方に回転するとともに、フロントブラケット１０を固定しているボルト５１と防振ブッシュ１２が変形し、フロントブラケット１０がストッパ５に近づく。先に述べたように、ストッパ５とフロントブラケット１０の上端との間の距離Ｈａは、インバータ２０の下面２０ｂとＴＡハウジング３０の上面３０ａとの間の距離Ｈｂよりも短い。それゆえ、衝突荷重Ｗによってフロントブラケット１０が後方に倒れる際、インバータ２０の下面２０ｂがＴＡハウジング３０の上面３０ａとぶつかるのに先立ってストッパ５の下面５ａがフロントブラケット１０の上端と当接する。この当接により、インバータ２０が受ける衝突荷重の一部がストッパ５を介してフロントブラケット１０の上端に伝わる。即ち、フロントブラケット１０の上端が衝突荷重の一部を支える。これにより、インバータ２０の下面２０ｂがＴＡハウジング３０の上面３０ａとぶつかるときの衝撃を緩和する。図３の符号Ｐ１は、ストッパ５とフロントブラケット１０の上端との当接箇所である。上述したように、車両側面（図中のＨ軸方向）から見て、フロントブラケット１０の上端は凸面状に湾曲し、ストッパ５の下面５ａは凹面状に湾曲している。そのため、ストッパ５とフロントブラケット１０の上端とは面で当接している。図３に示すように、ストッパ５とフロントブラケット１０が接触したときには、まだ、インバータ２０の下面２０ｂとＴＡハウジング３０の上面３０ａとの間に隙間Ｇ２が確保されている。
【００２３】
衝突荷重Ｗが大きいと、フロントブラケット１０がストッパ５との衝突荷重に耐えられずにフロントブラケット１０の上端が潰れてしまう場合がある。フロントブラケット１０の上端が潰れると、インバータ２０が更に下がってＴＡハウジング３０と衝突することも考えられる。その場合でも、ストッパ５とフロントブラケット１０との衝突が衝突荷重Ｗの一部を吸収するので、ＴＡハウジング３０の上面３０ａと衝突するときにインバータ２０が受ける衝撃は緩和される。
【００２４】
図４と図５を参照して、前方衝突時にインバータ２０が受ける衝突荷重の理論的解析を説明する。図４と図５では、フロントブラケット１０の形状を簡略化して表すとともに、部品と部品（例えばフロントブラケット１０とインバータ２０）は一点で連結されているものとして扱う。
【００２５】
図４と図５は、インバータ２０とフロントブラケット１０とリアブラケット４０を簡略化して描いた側面図である。図４は、フロントブラケット１０が変形する前の各部品の位置関係を示しており、図５はフロントブラケット１０が変形したときの各部品の位置関係を示している。インバータ２０は、フロントブラケット１０とリアブラケット４０によって、ＴＡハウジング３０の上面３０ａとの間に隙間Ｇを隔てて支持されている。図４と図５に示した符号の意味は次の通りである。直線Ａ１は、水平方向を示しており、直線Ａ２はＴＡハウジング３０の上面３０ａと平行な直線である。直線Ａ１と直線Ａ２の間の角度Ｔ１が、ＴＡハウジング３０の上面３０ａが水平方向となす角度を示している。
【００２６】
符号Ｗは先に述べたように衝突荷重を示しており、符号ＷＬは、衝突荷重Ｗの上面３０ａに沿った方向の分力（平行分力荷重ＷＬ）を示しており、符号ＷＨは、上面３０ａに垂直な方向の分力（垂直分力荷重ＷＨ）を示している。ポイントＰ２は、インバータ２０の最前位置であり、衝突荷重Ｗが加わる位置（荷重点）である。ポイントＰ３は、フロントブラケット１０とインバータ２０との連結点である。ポイントＰ４は、フロントブラケット１０とＴＡハウジング３０との連結点である。ポイントＰ５は、リアブラケット４０とインバータ２０との連結点である。ポイントＰ６は、リアブラケット４０とＴＡハウジング３０との連結点である。
【００２７】
符号Ｌ１は、ポイントＰ２（荷重点）とポイントＰ５（リアブラケット４０とインバータ２０との連結点）の間の距離を示している。符号Ｌ２は、ポイントＰ２（荷重点）とポイントＰ３（フロントブラケット１０とインバータ２０との連結点）の間の距離を示している。符号Ｌ３は、ポイントＰ４（フロントブラケット１０とＴＡハウジング３０との連結点）とポイントＰ３（フロントブラケット１０とインバータ２０との連結点）の間の距離を示している。符号Ｌ４は、ポイントＰ５（リアブラケット４０とインバータ２０との連結点）とポイントＰ６（リアブラケット４０とＴＡハウジング３０との連結点）の間の距離を示している。符号Ｈ１は、ポイントＰ３とポイントＰ２（荷重点）との間の距離を示している。
【００２８】
太線矢印Ｒａは、ポイントＰ３における、垂直分力荷重ＷＨに対するフロントブラケット１０の抗力を示している。符号Ｍａは、フロントブラケット１０に生じる曲げモーメントを示している。符号Ｍｂは、リアブラケット４０に生じる曲げモーメントを示している。
【００２９】
フロントブラケット１０の抗力Ｒａは、両端支持梁における力のつり合い方程式より、Ｒａ＝（Ｌ１／（Ｌ１＋Ｌ２））・ＷＨの式で求められる。ここで、Ｌ２がほぼゼロであることを考慮すると、Ｒａ＝ＷＨとなる。即ち、垂直分力荷重ＷＨが、そのまま、ポイントＰ３（フロントブラケット１０とインバータ２０との連結点）に集中する。平行分力荷重ＷＬに起因してフロントブラケット１０とリアブラケット４０に生じる曲げモーメントは、ＷＬ・Ｈ１／２となる。フロントブラケット１０には、垂直分力荷重ＷＨに起因する曲げモーメント＝ＷＨ・Ｌ３も加わる。以上から、Ｍａ＝ＷＬ・Ｈ１／２＋ＷＨ・（Ｌ２＋Ｌ３）＞Ｍｂ＝ＷＬ・Ｈ１／２−ＷＨ・（Ｌ１＋Ｌ４）となる。なお、ここで、Ｌ２は、実際にはほぼゼロであり、無視することができる。また、フロントブラケット１０とインバータ２０との連結点（ポイントＰ３）のみが、垂直分力荷重ＷＨを引き受ける。衝突荷重Ｗを受けると、リアブラケット４０に生じる曲げモーメントＭｂよりも、フロントブラケット１０に生じる曲げモーメントＭａが大きくなる。従って、衝突荷重Ｗを受けると、各部品は、以下のように運動する。フロントブラケット１０の上部は、フロントブラケット１０とＴＡハウジング３０との連結部分（より詳細にはフロントブラケット１０の屈曲部分）を軸として後方へ回転する（変形する）。リアブラケット４０の上部は、リアブラケット４０とＴＡハウジング３０との連結部分（より正確にはリアブラケット４０の屈曲部分）を軸として後方へ回転する（変形する）。ただし、曲げモーメントＭａが曲げモーメントＭｂよりも大きいので、フロントブラケット１０の上部の回転角は、リアブラケット４０の回転角よりも大きくなる。一方、インバータ２０は、後方に移動しつつ、前部がＴＡハウジング３０の上面３０ａに向けて押し込まれる。
【００３０】
図４、図５に示されているように、フロントブラケット１０とインバータ２０の連結点（ポイントＰ３）には、弾性体である防振ブッシュ１２が位置している。そのため、ポイントＰ３が垂直分力荷重ＷＨを受けると、防振ブッシュ１２が変形し、ストッパ５がフロントブラケット１０へ近づき、最終的にストッパ５とフロントブラケット１０が当接する。符号Ｐ１が、ストッパ５とフロントブラケット１０との接触箇所を示している。ストッパ５とフロントブラケット１０が当接することで、ポイントＰ１に、垂直分力荷重ＷＨに対する抗力Ｒｃが生じる。その分、ポイントＰ３に加わっていた抗力Ｒａが小さくなる。先に、垂直分力荷重ＷＨに起因する曲げモーメントは、「ＷＨ・Ｌ３」であると述べた。垂直分力荷重ＷＨに抗する箇所が、ポイントＰ３（フロントブラケット１０とインバータ２０との連結点）とポイントＰ１（フロントブラケット１０とストッパ５との接触点）に分散する。ポイントＰ１は、ポイントＰ３よりもポイントＰ４（フロントブラケット１０とＴＡ３０との連結点）に近い。このことは、垂直分力荷重ＷＨに起因する曲げモーメントの腕がＬ３よりも小さくなることを意味する。即ち、フロントブラケット１０とストッパ５が当接することにより、フロントブラケット１０に生じる曲げモーメントＭａが小さくなる。その結果、インバータ２０の前側を下げる力が減少する。即ち、ストッパ５がフロントブラケット１０と当接することによって、インバータ２０の下面２０ｂがＴＡハウジング３０の上面３０ａとぶつかるときの衝撃が緩和される。
【００３１】
ストッパ５がフロントブラケット１０と接触することで、垂直分力荷重ＷＨに抗する箇所が、ポイントＰ３（フロントブラケット１０とインバータ２０との連結点）とポイントＰ１（フロントブラケット１０とストッパ５との接触点）に分散する。このことは、防振ブッシュ１２に加わる力（即ち、抗力Ｒａ）が小さくなることを意味する。防振ブッシュ１２に加わる力が小さくなるので、防振ブッシュ１２が破断する可能性が小さくなる。
【００３２】
さらに、上記の考察より、次のことも言える。インバータ２０の前部を下方に下げる力は、フロントブラケット１０とインバータ２０との連結点（ポイントＰ３）に作用する垂直分力荷重ＷＨである。垂直分力荷重ＷＨが生じるのは、インバータ２０が、傾斜面（ＴＡハウジング３０の上面３０ａ）の上方に支持されていることに起因する。即ち、ストッパ５が効果を奏するのは、インバータ２０が車両のフロントコンパートメント９０において前下がりの傾斜面（ＴＡハウジング３０の上面３０ａ）の上方に支持されているという状況においてである。
【００３３】
図６には、図５のフロントブラケット１０がさらに変形したときの各部品の位置関係を示している。図６では、衝突荷重Ｗによって、フロントブラケット１０の上部とリアブラケット４０の上部とがさらに後方へ回転している。一方、インバータ２０は、さらに後方に移動しており、前部がＴＡハウジング３０の上面３０ａに向けてさらに押し込まれている。図６では、フロントブラケット１０の上部の回転により、ストッパ５に対するフロントブラケット１０の角度も変化している。具体的には、図５では、フロントブラケット１０が延びる方向と、ストッパ５の下面５ａと、がなす角度は比較的大きい（直角に近い）。一方、図６では、フロントブラケット１０が延びる方向と、ストッパ５の下面５ａと、がなす角度は比較的小さい（直角から遠い）。通常、ストッパ５に対するフロントブラケット１０の角度が小さくなる程、フロントブラケット１０がストッパ５から滑って外れる可能性が高まる。しかし、本実施例では、ストッパ５の下面５ａが凹面状に湾曲していることによって、フロントブラケット１０の上部がストッパ５の下面５ａから外れ難くなっている。そのため、図６のように、ストッパ５に対するフロントブラケット１０の角度が小さくなっても（即ち、フロントブラケット１０の上部が大きく回転しても）、フロントブラケット１０の上部がストッパ５の下面５ａから外れ難い。これによって、フロントブラケット１０が衝突荷重の一部を受ける期間を長く確保することができる。その結果、フロントブラケット１０が衝突の衝撃を効果的に緩和する。
【００３４】
実施例で説明した技術に関する留意点を述べる。インバータ２０が請求項における電力制御装置の一例に相当する。ＴＡハウジング３０が、請求項におけるハウジングの一例に相当する。
【００３５】
以上、本発明の具体例を詳細に説明したが、これらは例示に過ぎず、特許請求の範囲を限定するものではない。特許請求の範囲に記載の技術には、以上に例示した具体例を様々に変形、変更したものが含まれる。本明細書または図面に説明した技術要素は、単独であるいは各種の組合せによって技術的有用性を発揮するものであり、出願時請求項記載の組合せに限定されるものではない。また、本明細書または図面に例示した技術は複数目的を同時に達成し得るものであり、そのうちの一つの目的を達成すること自体で技術的有用性を持つものである。
【符号の説明】
【００３６】
２：車載構造
３：モータ
４：デファレンシャルギア
５：ストッパ
６：動力分配機構
１０：フロントブラケット
１２、４２：防振ブッシュ
２０：インバータ（電力制御装置）
２１：パワーケーブル
３０：トランスアクスルハウジング
４０：リアブラケット
５１、５２、５３、５４：ボルト
９０：フロントコンパートメント
９６：サイドメンバ
９８：エンジン
１００：ハイブリッド車
【図１】
0006432485.tif 000002
【図２】
0006432485.tif 000003
【図３】
0006432485.tif 000004
【図４】
0006432485.tif 000005
【図５】
0006432485.tif 000006
【図６】
0006432485.tif 000007